(57)【要約】      （修正有）【課題】車椅子及び荷移動台車を、エレベーターあるいは階段昇降装置にて、昇降移動するさいに１人にて楽に移動できるようにする。【解決手段】エレベーターの場合は、エレベーター床面２２にターンテーブル１０を設ける。階段昇降装置の場合は、本来の荷受面にターンテーブルを設ける。【選択図】図２
0003141649.tif 000002
【実用新案登録請求の範囲】
【請求項１】
一般用エレベーター・特に小形エレベーターの床面に、ターンテーブルを設置し、エレベーター内での方向変換を可能にした方向変換装置。
【請求項２】
階段昇降装置の荷受面にターンテーブルを設置し、階段昇降装置上にての方向変換を可能にした方向変換装置。
【考案の詳細な説明】
【技術分野】
【０００１】  本考案は、人及び荷物を移送する輸送設備分野に属する。
【考案が解決しようとする課題】
【０００２】  エレベーター及び階段昇降装置等の狭小場所おいて、その機内にて方向変換を可能にし、従来の乗降部分に設けられていた方向変換装置を無くすことです。
【０００３】  前述に加え尚且つ、一人で方向変換を可能にすることであります。
【課題を解決するための手段】
【０００４】  エレベーター床面等の狭小場所において、予めターンテーブルを設置しておくことにて課題を解決した。
【０００５】  階段昇降装置等の狭小場所となる本来の荷受面部分に、予めターンテーブルを持つ構造の荷受面にしておくことにて課題を解決した。
【考案を実施するための最良の形態】
【０００６】  以下、本考案に係る実施の形態を、エレベーター、階段昇降装置を例にとって、添付図１・２・３・４・５・６・７に基づいて説明する。【０００７】  図２、にてエレベーターに設置の場合（その１）、を説明する。
品番２２エレベーター床面に品番１０ターンテーブル設置用の品番φｈを設け、品番２３ターンテーブル取付金具を品番１０ターンテーブルの高さ寸法、記号δＬ１の深さに品番２２エレベーター床面から設け、そこに品番１０ターンテーブルを設置した。【０００８】  図３、にてエレベーターに設置の場合（その２）、を説明する。
エレベーター製作時点において、品番２４エレベーター床面を品番１０ターンテーブルの高さ寸法、記号δＬ２寸法だけ低い位置に製作し、品番２４エレベーター床面に品番１０ターンテーブルと、品番１０ターンテーブルに附属する品番１１ターンテーブル床面を設置した。【０００９】  図５、にて階段昇降装置に設置の場合、を説明する。
品番２５階段昇降装置駆動部分に、品番１０ターンテーブルとそれに附属する品番１２ターンテーブル荷受面を、本来の階段昇降装置に附属する荷受面に変更【００１０】  図１、にて車椅子利用者が家庭用エレベーターを利用する場合の動作を説明する。
品番３０車椅子利用者は記号イから記号Ａ方向に進み、品番２０エレベーター内の記号ロに移動し、品番２０エレベーター内に設けられた品番１３ターンテーブル作動スイッチを動作させることにより、品番１０ターンテーブルは記号θ１のごとく回転し、記号ロから記号ニ（記号ハを経由して）に方向変換し、品番２０エレベーターの昇降完了後、記号ニから記号Ｂ方向に進み、記号ホに移動し乗降を完了する。
この方法によって車椅子利用者は一人で品番２０エレベーターを利用できる。【００１１】  図５、にて車椅子利用者がＬ字形地点での階段昇降装置を利用する場合の動作を説明する。
品番３０車椅子利用者は地点へから記号Ｃ方向に進み、品番２６乗降傾斜台を経由して、品番２５階段昇降装置駆動部分に組込まれた、品番１２荷受面の地点トに移動し、品番１０ターンテーブル側に設けられた品番１３ターンテーブル作動スイッチを動作させることにより、品番１０ターンテーブルは記号θ２のごとく回転し、記号トから記号チに方向変換し、品番１２荷受面が記号チから記号Ｄ方向に昇移動し、記号リに移動完了後、記号リから記号Ｅ方向に進み、記号ヌに移動し昇移動を完了する。
この方法によって車椅子利用者は一人で階段昇降装置を利用できる。【００１２】  図６、は階段昇降装置の降方向利用、の場合をしめしたものである。【００１３】  図４、は荷移動台車を１人で昇降移動している場合をしめしたものである。【００１４】  図７、は荷移動台車を１人で昇降移動している場合をしめしたものである。
【考案の効果】
【００１５】  上述のような本考案によれば、次のような効果が得られる。
【００１６】  車椅子利用者が１人で他人の手を借りずに階層の違うフロアーに移動できる。
【００１７】  車椅子利用者が移動するさい、常に前方向に移動ができるため、移動のさいの安心感が得られた。
【００１８】  荷移動台車で荷を運ぶさいに、他人の手を借りずに階層の違うフロアーに１人で運ぶことが（搬送）できる。
【００１９】  荷移動台車で荷を運ぶさい、常に前方向に移動ができるため、移動のさいの安心感が得られた。
【００２０】  エレベーター方式で造られた、車の立体駐車場に於いて、車の入出庫時の回転方式にも流用でき、従来外部に設置されていた、ターンテーブルの必要を省くことができ、使用敷地面積の削減にも効果が有ることが解った。
【図面の簡単な説明】
【００２１】
【図１】  車椅子利用者がエレベーター使用時の平面移動をしめす
【図２】  エレベーターにターンテーブル組込み（その１）をしめす（車椅子利用時）
【図３】  エレベーターにターンテーブル組込み（その２）をしめす（車椅子利用時）
【図４】  エレベーターにターンテーブル組込み（その１）をしめす（荷移動台車利用時）
【図５】  階段昇降装置にターンテーブル組込みをしめす（車椅子利用・昇移動時）
【図６】  階段昇降装置にターンテーブル組込みをしめす（車椅子利用・昇移動時）
【図７】  階段昇降装置にターンテーブル組込みをしめす（荷移動台車利用・昇移動時）
【符号の説明】
【００２２】１０    ターンテーブル
１１    ターンテーブル床面
１２    ターンテーブル荷受面
１３    ターンテーブル作動スイッチ
２０    エレベーター枠
２１    エレベータードアー
２２    エレベーター床面
２３    ターンテーブル取付金具
２４    エレベーター床面（記号δＬ２寸法低くしたもの）
２５    階段昇降装置駆動部分
２６    乗降傾斜台
２７    階段
３０    車椅子
３１    荷移動台車
３２    荷物
Ａ      説明用方向記号（エレベーターに乗る方向）
Ｂ      説明用方向記号（エレベーターから降りる方向）
Ｃ      説明用方向記号（階段昇降装置に乗る方向）
Ｄ      説明用方向記号（階段昇降装置の昇移動方向をしめす）
Ｅ      説明用方向記号（階段昇降装置から降りる方向）
θ１    説明用回転記号（エレベーター内ターンテーブル回転方向）
θ２    説明用回転記号（階段昇降装置のターンテーブル回転方向）
δＬ１  説明用寸法記号（エレベーター設置ターンテーブル厚さ寸法）
δＬ２  説明用寸法記号（エレベーター設置ターンテーブル厚さ寸法）
δＬ３  説明用寸法記号（階段昇降装置設置ターンテーブル厚さ寸法）
イ      説明用位置記号（エレベーターに乗る前の位置）
ロ      説明用位置記号（エレベーターに乗った位置）
ハ      説明用位置記号（エレベーター内での方向変換途中位置）
ニ      説明用位置記号（エレベーター内での方向変換後位置）
ホ      説明用位置記号（エレベーターから降りた位置）
ヘ      説明用位置記号（階段昇降装置に乗る前の位置）
ト      説明用位置記号（階段昇降装置に乗った位置）
チ      説明用位置記号（階段昇降装置内にて方向変換した位置）
リ      説明用位置記号（階段昇降装置にて昇移動した位置）
ヌ      説明用位置記号（階段昇降装置から降りた位置）
【図１】
0003141649.tif 000003
【図２】
0003141649.tif 000004
【図３】
0003141649.tif 000005
【図４】
0003141649.tif 000006
【図５】
0003141649.tif 000007
【図６】
0003141649.tif 000008
【図７】
0003141649.tif 000009